(57)【要約】【課題】排水用としてＵ字溝が敷設されている道路や敷地において、歩行者や車両等が夜間利用するときに街灯や柵が設けられていない場合に発生するＵ字溝への転落事故などを予防できるようにするために、Ｕ字溝が敷設されていることを夜間でも認識できるようにした、夜間に点灯する照明器具付きＵ字溝の提供を目的としたものである。【解決手段】道路又は敷地の排水路として用いるＵ字溝３において、該Ｕ字溝３の側壁４に太陽の照射を受け昼間に充電をして夜間に点灯する太陽電池を利用した照明器具１を上方に向けて作用するように設けた照明器具付きＵ字溝である。【選択図】図１
2005315040.tif 000002
【特許請求の範囲】
【請求項１】
道路又は敷地の排水路として用いるＵ字溝３において、該Ｕ字溝３の側壁４に太陽の照射を受け昼間に充電をして夜間に点灯する太陽電池を利用した照明器具１（以下「照明器具」という）を上方に向けて作用するように設けた照明器具付きＵ字溝。
【請求項２】
道路又は敷地の排水路として用いるＵ字溝３において、該Ｕ字溝３の側壁４に照明器具１をＵ字溝３の内側方向又はＵ字溝３の内側方向と上方に向けて作用するように設けた照明器具付きＵ字溝。
【請求項３】
道路又は敷地の排水路として用いる蓋１０を有するＵ字溝３において、該蓋１０を有するＵ字溝３の蓋１０に、照明器具１を上方に向けて作用するように設けた照明器具付きＵ字溝。
【請求項４】
照明器具１を収納するための容器２（以下「収納容器」という）をＵ字溝３の側壁４又はＵ字溝３の蓋１０に埋め込むあるいは取り付けた上で、該収納容器２に照明器具１を収納する形態として設けた請求項１〜３の照明器具付きＵ字溝。
【請求項５】
Ｕ字溝３の側壁４又はＵ字溝３の蓋１０に、照明器具１を直接埋め込むあるいは直接取り付ける形態として設けた請求項１〜３の照明器具付きＵ字溝。
【発明の詳細な説明】
【技術分野】
【０００１】  本発明は道路などに敷設するＵ字溝に、太陽電池を利用して夜間に点灯する照明器具を設けることに関するものである。
【背景技術】
【０００２】  道路や敷地には地表に降った雨水などを排水処理するための排水路としてＵ字形をした排水溝が設けられている場合があり、それらはその時々の状況や事情により工場にて製造・製作されたもの又は現地にて施工・製作されたものなどが敷設されていた。
これらＵ字形をした排水溝は、通常は上方が開放されている形状のものであるが必要に応じては蓋をかぶせて使用することができるようになっているもの、または地表に降った雨水の処理ができるようにした上で最初からＵ字形に蓋がされた形状のロ形の排水溝（以下、上方が開放されているＵ字形のものと共に「Ｕ字溝」という）などがあり、これらのＵ字溝は市街地などに敷設される場合を除いては、通常は上方が開放されたままの形態で敷設されることがほとんどで、危険防止や特別の場合を除いてはＵ字溝に蓋をしたり、ロ形のものが敷設されることは少なかった。
そのためにこれまでは上方が開放されたＵ字溝が敷設されている道路や敷地では、危険が認識された場合にはＵ字溝にあらためて蓋をしたり柵を設けたりすると共に、夜間の危険を認識させるためには街灯を設けたりするしかＵ字溝の存在を認識させる方法はなかった。
ただ、これまでにあった街灯以外に夜間に点灯する設備といえば、特開２００２−２６６３２４号「自発光型ガードレール用視線誘導標」などがあるが、これらのものは道路や敷地に危険防止のために設けられたガードレールに設置されたもので、夜間におけるＵ字溝の存在を認識させるものではなかった。
【発明の開示】
【発明が解決しようとする課題】
【０００３】  そこで本発明は、太陽の照射を受けて昼間に充電をして夜間に点灯する太陽電池を利用した照明器具を用いて、敷設されたＵ字溝が街灯や柵などが設けられていなくても夜間に点灯する照明器具によりＵ字溝の存在を認識できるようにした照明器具付きＵ字溝の提供を目的としたものである。
【発明を解決するための手段】
【０００４】  道路又は敷地の排水路として用いるＵ字溝において、該Ｕ字溝の側壁に太陽の照射を受け昼間に充電をして夜間に点灯する太陽電池を利用した照明器具（以下「照明器具」という）を上方に向けて作用するように設けた照明器具付きＵ字溝である。
【０００５】  道路又は敷地の排水路として用いるＵ字溝において、該Ｕ字溝の側壁に照明器具をＵ字溝の内側方向又はＵ字溝の内側方向と上方に向けて作用するように設けた照明器具付きＵ字溝である。
【０００６】  道路又は敷地の排水路として用いる蓋を有するＵ字溝において、該蓋を有するＵ字溝の蓋（ロ形排水溝の上面部を含む）に、照明器具を上方に向けて作用するように設けた照明器具付きＵ字溝である。
【０００７】  Ｕ字溝の側壁又はＵ字溝の蓋に設ける照明器具を、該照明器具を収納するための容器（以下「収納容器」という）をＵ字溝の側壁又はＵ字溝の蓋に埋め込むあるいは取り付けた上で、該収納容器に照明器具を収納する形態として設けた照明器具付きＵ字溝である。
このとき照明器具を収納するための収納容器における蓋の有無は任意である。
【０００８】  Ｕ字溝の側壁又はＵ字溝の蓋に設ける照明器具を、Ｕ字溝の側壁又はＵ字溝の蓋に照明器具を直接埋め込むあるいは直接取り付ける形態として設けた照明器具付きＵ字溝である。
【０００９】  Ｕ字溝に埋め込むあるいは取り付ける照明器具又は収納容器、ないしは収納容器に収納する照明器具は、それらが取り外し可（はめ込み・差し込み、縛る、ボルト・ナット締めなど、取り外し及び取り付けが可能な形態）、または取り外し不可（固定埋め込み、溶接、接着、鋲締めなど、取り外すときには照明器具又は照明器具取り付け補助材類を破壊や切断をして取り外さなければならない形態）のいずれの形態で埋め込むあるいは取り付けられたものでもよい。
このとき、取り外し不可の形態で埋め込むあるいは取り付けるものであっても、照明器具の交換時にＵ字溝本体のやり直しにかかわるような埋め込むあるいは取り付けかたをしてはならない。
【００１０】  また、照明器具又は収納容器をＵ字溝に埋め込むあるいは取り付けるときには、照明器具又は収納容器をＵ字溝の側壁又はＵ字溝の蓋に全面的に埋め込む、あるいは一部を埋め込む、ないしは埋め込まない形態で取り付けたものでよい。このとき埋め込むあるいは取り付ける照明器具又は収納容器は、Ｕ字溝側壁の壁厚又はＵ字溝蓋の蓋厚以内に納めなければならない必要はなく、Ｕ字溝側壁の外側又は内側、あるいは上部（蓋の場合は蓋の上下）にはみ出した状態で埋め込むあるいは取り付けられたものでもよい。
【００１１】  本発明にかかわる照明器具付きＵ字溝を敷設するときには、工場生産されたものは勿論のこと現地にて施工敷設する場合においても、従来のＵ字溝敷設と同様の工程のなか（工場生産時、現場施工時あるいはＵ字溝本体の敷設終了後）で照明器具又は収納容器を埋め込むあるいは取り付けることができるものである。
【００１２】  また、照明器具の作用終了により照明器具の交換が必要な場合には、照明器具の設けられた状況により照明器具又は収納容器が取り外し可能であるものは取り外して交換し、取り外しが容易にできないように設けられたものにあっては既設のものを破壊・切断などにより除去した後に照明器具を交換することになる。
ただこの場合であっても、照明器具取り付け補助材類を介して取り付けられた照明器具であれば、その部分のみを破壊・切断するなどにより照明器具を取り外して交換し、再度前の状態に戻すことによりＵ字溝本体には影響を及ばさない状態で照明器具の交換ができることになる。
【発明の効果】
【００１３】  本発明の照明器具付きＵ字溝を道路や敷地に敷設するときには、街灯や柵の設けられていない道路や敷地などにおいても歩行者や自転車・自動車など、夜間における通行・利用時にはＵ字溝に設けられた照明器具が点灯するために敷設されたＵ字溝の存在を認識できることになり、夜間におけるＵ字溝への転落防止や予防においては有効な手段としての効果が期待できるものである。
【発明を実施するための最良の形態】
【００１４】  本発明を実施するときには、道路や敷地に雨水の排水路として敷設するＵ字溝３の側壁４に、太陽の照射を受け昼間に充電をして夜間に点灯する太陽電池を利用した照明器具１（以下「照明器具」という）を上方に向けて作用するように、該照明器具１を収納容器２に収納して設けたものである。
【実施例１】
【００１５】  本発明の実施例１を図１にもとづいて説明する。図１はＵ字溝の側壁に、照明器具を収納した容器を埋め込んだＵ字溝斜視図及び照明器具部拡大平面図並びに照明器具部ア−ア断面図である。
すなわち道路や敷地に雨水の排水路として敷設するＵ字溝３ａの側壁４ａに、太陽の照射を受け昼間に充電をして夜間に点灯する太陽電池を利用した照明器具１ａを上方に向けて作用するように収納容器２を埋め込んだものに収納して設けたものである。
照明器具１ａは防水構造の円筒形置き型状のものを用い、該照明器具１ａは透明な強化ガラス又は透明な強化樹脂類を用いた蓋５を有する収納容器２に収納した上で、該収納容器２をＵ字溝３ａの側壁４ａに埋め込み設けたものである。
Ｕ字溝３ａの側壁４ａに埋め込む収納容器２は、蓋５と底を有する円筒形のものに蓋押え枠固定部受け８を設けた上で、引っかかり部のある蓋押さえ枠固定部７が形成された蓋押さえ枠６にて蓋５を通常では取り外しができないように押さえとめたものである。
また、収納容器２下方には容器内に進入した水を排水するための排水孔９をＵ字溝３ａの内側に向けて設けたものである。【００１６】  本発明にかかわる照明器具１ａを収納した収納容器２の埋め込まれたＵ字溝３ａは、従来のＵ字溝と同様の敷設作業にて道路や敷地に敷設できるものである。
このことは街灯や柵の設けられていない道路などにおいても、夜間に点灯するＵ字溝３ａの敷設により歩行者や自転車・自動車などの利用者にはＵ字溝３ａの存在が認識できることになるため、夜間におけるＵ字溝３ａへの転落防止や予防においては絶大なる効果を発揮することになる。
また、収納する照明器具１ａは長期間作用するものを使用するのは当然としても、収納された照明器具１ａの作用が停止したことによる照明器具の交換に関しては、収納容器２の蓋押さえ枠６に形成された蓋押さえ枠固定部７を蓋押さえ枠６との界より切断して蓋５を取り外すことにより収納容器２内の照明器具１ａは交換できることになる。
これにより照明器具１ａが収納されている収納容器２はＵ字溝３ａに埋め込まれたままの状態でよいことになるが、ただこのとき蓋押さえ枠固定部７を有する蓋押さえ枠６も同時に取り替えることになる。
【実施例２】
【００１７】  本発明の実施例２を図２にもとづいて説明する。図２はＵ字溝の側壁に照明器具を横方向に作用するように埋め込んだＵ字溝斜視図である。
本実施例２は、道路や敷地に敷設するＵ字溝３ｂの側壁４ｂに、照明器具１ｂをＵ字溝３ｂの内側に向けて横方向に作用するように直接埋め込んだものである。
埋め込む照明器具１ｂは板状の防水構造のものとし、Ｕ字溝３ｂの製作時（工場生産時又は現場製作時）に直接埋め込み設けたもの、又は製作時には照明器具の埋め込み部のみを形成し、埋め込む照明器具１ｂはその後にセメントあるいは接着剤類を用いてＵ字溝３ｂの側壁４ｂに堅固に埋め込み取り付けたものである。
本発明にかかわる照明器具１ｂの交換時には、敷設されたＵ字溝３ｂ本体には影響を及ばさないようにして照明器具１ｂのみを取り外して交換するもである。
【実施例３】
【００１８】  本発明の実施例３を図３にもとづいて説明する。図３は蓋を有するＵ字溝の蓋に、照明器具を上方に向けて作用するように取り付けたＵ字溝斜視図及び照明器具取付け部のイ−イ拡大断面図である。
本実施例３は、道路や敷地に敷設する蓋付きＵ字溝３ｃの蓋１０に、照明器具１ｃを上方に向けて作用するように取り付けたものである。
取り付ける照明器具１ｃは防水構造で上面が耐圧材にて保護された円筒形のものとし、該円筒形の照明器具外周部下方には照明器具１ｃをねじ込み取り付けるためのねじ状部１２を形成した上で、ねじ状部１３が形成されてＵ字溝蓋１０に埋め込まれた照明器具取り付け材１１にねじ込み込み取り付けたものである。
また、Ｕ字溝蓋１０に埋め込む照明器具取り付け材１１は、円筒形の内周部に照明器具外周部に形成されたねじ状部１２と螺合するねじ状部１３を形成したものに、埋め込み用アンカー１４を取り付けてＵ字溝３ｃの蓋１０に堅固に埋め込んだものである。
本発明にかかわる蓋１０に照明器具１ｃが取り付けられたＵ字溝３ｃが敷設されたときには、照明器具１ｃの取り付け・取り外しが容易なために、敷設されたＵ字溝３ｃの環境変化にともなう照明器具１ｃの取り付け・取り外しにも容易に対応ができることになる。（なを、Ｕ字溝蓋１０に埋め込まれた照明器具取り付け材１１に照明器具１ｃが取り付けられてないときには、照明器具取り付け材１１の孔は危険防止のために塞ぐものである。）
【産業上の利用可能性】
【００１９】  歩行者や自転車・自動車などが通行・利用する道路や敷地に雨水の排水路として設けられているＵ字溝において、夜間の通行・利用時に危険を感じてはいてもこれまでは地形や通行量が少ないなどさまざまな条件により街灯や柵類が設けられていない場合でも、従来型のＵ字溝が敷設できる道路や敷地であれば本発明にかかわる照明器具付きＵ字溝は敷設できるものである。
このことは昼間に太陽の照射を受けて充電された太陽電池により夜間に点灯する自然エネルギーを利用した照明器具を備えたＵ字溝の敷設が可能になるために、これまでは夜間の道路や敷地を通行・利用することに不安や危険を感じていた歩行者や自転車、また自動車を運転するものにとっては敷設されたＵ字溝の存在が認識しやすくなり、通行・利用時での不安解消と共に危険防止・危険予防への貢献が期待できるものとなる。
【図面の簡単な説明】
【００２０】
【図１】Ｕ字溝の側壁に、照明器具を収納した容器を埋め込んだＵ字溝斜視図及び照明器具部拡大平面図並びに照明器具部ア−ア断面図である。
【図２】Ｕ字溝の側壁に、照明器具を横方向に作用するように埋め込んだＵ字溝斜視図である。
【図３】蓋を有するＵ字溝の蓋に、照明器具を上方に向けて作用するように取り付けたＵ字溝斜視図及び照明器具取付け部のイ−イ拡大断面図である。
【符号の説明】
【００２１】    １、１ａ、１ｂ、１ｃ・・・照明器具
２・・・・・・・・・・・・収納容器
３、３ａ、３ｂ、３ｃ・・・Ｕ字溝
４、４ａ、４ｂ・・・・・・側壁
５・・・・・・・・・・・・蓋（収納容器の蓋）
６・・・・・・・・・・・・蓋押さえ枠
７・・・・・・・・・・・・蓋押さえ枠固定部
８・・・・・・・・・・・・蓋押さえ枠固定部受け
９・・・・・・・・・・・・排水口
１０・・・・・・・・・・・蓋（Ｕ字溝の蓋）
１１・・・・・・・・・・・照明器具取り付け材
１２・・・・・・・・・・・ねじ状部
１３・・・・・・・・・・・ねじ状部
１４・・・・・・・・・・・埋め込み用アンカー
【図１】
2005315040.tif 000003
【図２】
2005315040.tif 000004
【図３】
2005315040.tif 000005